(57)【要約】【課題】着衣者の熱中症を予防することができる被服類及び、ワッペンを提供する。【解決手段】布地２の表面側に警告表示部３が設けられ、警告表示部３は、可逆熱変色性インキ層４を有し、可逆熱変色性インキ層４は、設定温度以上の温度となると色が変化することで警告表示部３に熱中症の警告が表れる。【選択図】図２
0003232675.tif 000002
【実用新案登録請求の範囲】
【請求項１】
布地の表面側に警告表示部が設けられた被服類であって、
前記警告表示部は、可逆熱変色性インキ層を有し、
前記可逆熱変色性インキ層は、設定温度以上の温度となると色が変化することで前記警告表示部に熱中症の警告が表れることを特徴とする熱中症予防用被服類。
【請求項２】
前記警告表示部は、前記布地と前記可逆熱変色性インキ層との間に、前記設定温度以上の温度となっても色が変化しない通常インキ層を更に有し、
前記可逆熱変色性インキ層は、前記設定温度より低い温度では、有色で不透明であり、前記設定温度以上の温度となると透明となって、通常インキ層が視認可能となることを特徴とする請求項１に記載の熱中症予防用被服類。
【請求項３】
前記可逆熱変色性インキ層の設定温度は、３２℃以上であることを特徴とする請求項１又は２に記載の熱中症予防用被服類。
【請求項４】
前記警告表示部には、前記可逆熱変色性インキ層の上に紫外線を吸収するトップコート層が積層されていることを特徴とする請求項１〜３の何れか一項に記載の熱中症予防用被服類。
【請求項５】
布地の表面側に警告表示部が設けられたワッペンであって、
前記警告表示部は、可逆熱変色性インキ層を有し、
前記可逆熱変色性インキ層は、設定温度以上の温度となると色が変化し、前記警告表示部に熱中症の警告が表れることを特徴とする熱中症予防用ワッペン。
【請求項６】
前記警告表示部は、前記布地と前記可逆熱変色性インキ層との間に、前記設定温度以上の温度となっても色が変化しない通常インキ層を更に有し、
前記可逆熱変色性インキ層は、前記設定温度より低い温度では、有色で不透明であり、前記設定温度以上の温度となると透明となって、通常インキ層が視認可能となることを特徴とする請求項５に記載の熱中症予防用ワッペン。
【請求項７】
前記警告表示部には、前記可逆熱変色性インキ層の上に紫外線を吸収するトップコート層が積層されていることを特徴とする請求項５又は６に記載の熱中症予防用ワッペン。
【請求項８】
請求項５〜７の何れか一項に記載の熱中症予防用ワッペンが表面に取り付けられたことを特徴とする被服類。
【請求項９】
請求項１〜４の何れか一項に記載の熱中症予防用被服類又は請求項５〜８の何れか一項に記載の熱中症予防用ワッペンの警告表示部を形成するための転写シート。
【考案の詳細な説明】
【技術分野】
【０００１】
本考案は、熱中症となることを予防する被服類及びワッペンに関する。特に、屋外で子供が野球やサッカーをするとき熱中症となることを予防する被服類及び被服類に取り付けるワッペンに関する。
【背景技術】
【０００２】
従来より、野球やサッカーの試合や練習はグラウンドで行われており、夏場では熱中症となることがあった。特に子供の場合は自己の体調を把握しきれてはおらず、練習中に熱中症で倒れることがあった。この熱中症を防ぐため、指導者が１５分ごとに休憩を入れたり、こまめに水分を取らせていた。
【考案の概要】
【考案が解決しようとする課題】
【０００３】
しかしながら、従来の熱中症予防方法は指導者任せであり、その指導者も複数の子供全てに目を行き届かせることは困難であった。
【０００４】
そこで、本考案は、着衣者本人やチームメイト、付き添いの親や指導者が、着衣者の熱中症を予防することができる被服類及び、ワッペンを提供することを目的とする。
【課題を解決するための手段】
【０００５】
上記課題を解決するため、本考案の熱中症予防用被服類は、布地の表面側に警告表示部が設けられた被服類であって、前記警告表示部は、可逆熱変色性インキ層を有し、前記可逆熱変色性インキ層は、設定温度以上の温度となると色が変化することで前記警告表示部に熱中症の警告が表れることを特徴としている。
【０００６】
また、本考案のワッペンは、布地の表面側に警告表示部が設けられたワッペンであって、前記警告表示部は、可逆熱変色性インキ層を有し、前記可逆熱変色性インキ層は、人間の設定温度以上の温度となると色が変化し、前記警告表示部に熱中症の警告が表れることを特徴としている。
【０００７】
前記可逆熱変色性インキ層の設定温度は３２℃以上に設定されており、好ましくは３５℃、又は３８℃である。
【考案の効果】
【０００８】
本考案の熱中症予防用被服類及びワッペンにおいては、可逆熱変色性インキ層が設定温度以上の温度となると色が変化することで警告表示部に熱中症の警告が表れることとなる。この警告から熱中症になる危険性を、本人やチームメイト、付き添いの親や指導者は、容易に判別することができ、その結果熱中症を予防することができる。
【図面の簡単な説明】
【０００９】
【図１】本考案の実施形態に係る被服類を示す正面図である。
【図２】図１の部分拡大断面図である。
【図３】本考案の実施形態に係る被服類の使用状態を示す図である。
【図４】（ａ）は、被服類に警告表示部を形成するための転写シートを示す斜視図であり、（ｂ）は部分拡大断面図である。
【図５】本考案の他の実施形態に係るワッペンが付けられた被服類を示す図である。
【考案を実施するための形態】
【００１０】
図１は、本考案の実施形態に係る被服類１を示す。この被服類１には、布地２の正面であって”ＢＡＳＥＢＡＬＬ  ＤＲＥＡＭ”の文字の上方位置に、横長線状の警告表示部３がプリントされている。
【００１１】
この警告表示部３は、図２に示すように、布地２の表面側に可逆熱変色性インキ層４を有している。そして、この可逆熱変色性インキ層４と布地２との間に通常インキ層５を有しており、この通常インキ層５は、可逆熱変色性インキ層４に覆われている。更に警告表示部３は、ホットメルト層１０とトップコート層１１とを有している。そして図２に示すように、布地２の表面側からホットメルト層１０，通常インキ層５，可逆熱変色性インキ層４，トップコート層１１の順にこれら層が積層されている。
【００１２】
可逆熱変色性インキ層４は、設定温度より低い温度では、有色で不透明であり、設定温度以上の温度となると透明となる可逆熱変色性インキが用いられる。本実施形態の可逆熱変色性インキ層４は、３８℃未満では黒色で、３８℃以上になると透明になる株式会社サクラクレパス社製のサクラＴＣカラーが使用されている。このサクラＴＣカラーは、色を変化させる温度を−５℃〜５５℃の範囲で設定できるが、熱中症予防の観点から、３２℃以上の温度で設定温度を設定するのがよい。特に、３２℃〜３８℃の範囲内に設定された可逆熱変色性インキが好ましい。
【００１３】
通常インキ層５は、可逆熱変色性インキ層４より幅が狭い横長線状に形成されており、上記設定温度以上の温度となっても色が変化しないインキが用いられている。本実施形態では、赤色のインキが使用されている。
【００１４】
このように警告表示部３が設けられた被服類１は、図３に示すように、設定温度より低い温度のときは、警告表示部３の可逆熱変色性インキ層４は、黒色のままで変色せず、下層の通常インキ層５は見えないままである。練習が続き、被服類１の温度が上昇し設定温度以上となると、可逆熱変色性インキ層４は、透明に変色し、赤色の通常インキ層５が視認可能となる。この警告表示部３の通常インキ層５を見ることで、熱中症になる危険性を、本人やチームメイト、付き添いの親や指導者は、容易に判別することができ、その結果熱中症を予防することができる。
【００１５】
この警告表示部３は、図４に示すような、転写シート６を用いてプリントすることにより設けられている。この転写シート６は、基材７の裏側にトップコート層１１，可逆熱変色性インキ層４，通常インキ層５，ホットメルト層１０がこの順に積層されている。また、他のデザインも通常インキにより設けられている。この転写シート６の裏側を布地に押し当て、表側から熱を加えると、可逆熱変色性インキ層４及び通常インキ層５は布地に転写され、図２に示すように、布地２の表面側に通常インキ層５、そして通常インキ層５を覆う可逆熱変色性インキ層４が積層されることとなる。
【００１６】
次に、本考案の他の実施形態に係るワッペンを図５に示す。図５に示すように、ワッペン８は、被服類の一種である帽子９に縫い付けられている。このワッペン８は、野球のボールのような模様を有しており、その縫い目が警告表示部３となっている。この警告表示部３は、他の実施形態と同様に、赤色の通常インキ層と、通常インキ層に積層された可逆熱変色性インキ層とで構成されている。そしてワッペン８の温度が設定温度を超えると、可逆熱変色性インキ層が透明となり、通常インキ層が視認可能となるので、チームメイト、付き添いの親や指導者は、ワッペン８の色から熱中症になる可能性が高いと判断でき、着用者を休ませることで熱中症を予防することができる。
【００１７】
本実施形態では、野球のユニフォームなどに対して、警告表示部３をプリントせずにワ
ッペンを付けることにより、熱中症を予防することができる。
【００１８】
これら２つの実施形態では、可逆熱変色性インキ層の上にトップコート層が積層されている。可逆熱変色性インキは紫外線に弱いので、紫外線を吸収する素材で形成されたトップコート層を設けることにより日差しの強い夏場でも安定して警告表示することができる。
【００１９】
また、可逆熱変色性インキ層と布地の間に通常インキ層を設けているが、通常インキ層は設けなくてもよい。この場合、可逆熱変色性インキ層は、設定温度を超えると透明とはならず、他の色、例えば黒色から赤色へと変色する可逆熱変色性インキが使用されることとなる。
【符号の説明】
【００２０】
１  被服類
２  布地
３  警告表示部
４  可逆熱変色性インキ層
５  通常インキ層
６  転写シート
７  基材
８  ワッペン
９  帽子
１０  ホットメルト層
１１  トップコート層
【図１】
0003232675.tif 000003
【図２】
0003232675.tif 000004
【図３】
0003232675.tif 000005
【図４】
0003232675.tif 000006
【図５】
0003232675.tif 000007